(57)【要約】【課題】ＲＥ層に記録された特定のデータが使用者の意図に反して劣化し再生できなくなることを防止できる光情報記録媒体及び光情報記録媒体再生装置を提供する。【解決手段】光情報記録媒体１００は、基板５０上に、再生光によって情報を読み出すことが可能な複数の情報記録層（ＲＯＭ層２０、ＲＥ層４０）と、複数の情報記録層各々を分離する中間層３０と、基板５０より最も遠い位置に設けられた透光層１０とを有している。複数の情報記録層は、情報を読み出すことのみ可能なＲＯＭ層２０と情報を書き換えることが可能な領域を含むＲＥ層４０とからなる。光情報記録媒体１００には、ＲＥ層４０に記録された特定情報の再生可否を、対応する光ディスク装置が判定するための適応可能機器情報が記録されている。【選択図】図１
2012038388.tif 000002
【特許請求の範囲】
【請求項１】
基板上に、再生光によって情報を読み出すことが可能な複数の情報記録層と、上記複数の情報記録層各々を分離する中間層と、上記基板より最も遠い位置に設けられた透光層とを有し、上記複数の情報記録層は、情報を読み出すことのみ可能な層と情報を書き換えることが可能な領域を含む書き換え層とからなる光情報記録媒体であって、
上記書き換え層に記録された特定情報の再生可否を、光情報記録媒体再生装置が判定するための適応可能機器情報が記録されていることを特徴とする光情報記録媒体。
【請求項２】
上記適応可能機器情報が、使用者が書き換え不可能な領域及び／又は形態で記録されていること特徴とする請求項１に記載の光情報記録媒体。
【請求項３】
上記適応可能機器情報が、情報を読み出すことのみ可能な層に記録されていることを特徴とする請求項２に記載の光情報記録媒体。
【請求項４】
上記情報を読み出すことのみ可能な層には、使用者が利用可能な情報が記録されているデータ領域と、対応する光情報記録媒体再生装置が利用する情報が記録されているリードイン領域とが設けられており、
上記適応可能機器情報が上記データ領域に記録されていることを特徴とする請求項２に記載の光情報記録媒体。
【請求項５】
上記適応可能機器情報が、ファイル形式で記録されていることを特徴とする請求項４に記載の光情報記録媒体。
【請求項６】
上記適応可能機器情報が、ディスクタイプ識別情報及び個体識別番号と合わせてバーコード状のストライプとして記録されていることを特徴とする請求項２に記載の光情報記録媒体。
【請求項７】
上記適応可能機器情報が、光情報記録媒体記録／再生装置製造者のメーカーコードを含む情報であることを特徴とする請求項１〜６のいずれか１項に記載の光情報記録媒体。
【請求項８】
上記適応可能機器情報は、上記特定情報を光情報記録媒体再生装置で再生する際に、使用者に、許諾の意図を上記光情報記録媒体再生装置に示す作業を促す表示を行う表示制御手段を起動させる情報であることを特徴とする請求項１〜７のいずれか１項に記載の光情報記録媒体。
【請求項９】
上記特定情報が、使用者によって上記書き換え層に記録された情報であることを特徴とする請求項１〜８のいずれか１項に記載の光情報記録媒体。
【請求項１０】
請求項１〜９のいずれか１項に記載の光情報記録媒体に記録された情報を再生する光情報記録媒体再生装置であって、
上記光情報記録媒体に記録された上記適応可能機器情報を再生する再生手段と、
再生した上記適応可能機器情報と、上記光情報記録媒体再生装置自体が保有している、自装置に関する識別情報または自装置に適応する光情報記録媒体に関する識別情報とを照合する照合手段と、
照合された結果に基づいて、上記書き換え層に記録された特定情報の再生可否を決定する決定手段とを有することを特徴とする光情報記録媒体再生装置。
【発明の詳細な説明】
【技術分野】
【０００１】
本発明は各種情報が記録される複数の情報記録層を有する光情報記録媒体及びその再生装置に関するものである。
【背景技術】
【０００２】
現在、光情報記録媒体は、再生専用型（以降、ＲＯＭ（Read Only Memory）と称する）、追記録型、書き換え型（以降、ＲＥ（REwritable）と称する）及び各々の２層版等、様々な形態の媒体が商品化されているが、用途としては新たな用途は提案されることは少なくなってきている。
【０００３】
一方、現時点では商品化されていないが、特許文献１には、ディスクのＲＯＭ層のコンテンツに関連したコンテンツをＲＥ層に記録できる、ＲＯＭ層とＲＥ層とを併せ持つコンビネーションディスクの記載がある。
【０００４】
このコンビネーションディスクの用途として、上記特許文献１には、ＲＯＭ層に第１期の連続ドラマコンテンツと上記連続ドラマコンテンツの第２期を記録するための録画情報とが記録されておれば、容易に第２期の連続ドラマコンテンツをＲＥ層に録画でき、第１期ドラマコンテンツと第２期ドラマコンテンツとを１枚のディスクに収納可能になる等の新規用途が記載されている。
【０００５】
このように、今までになかった新規用途に使用できるコンビネーションディスクへの期待が高まっていた。
【先行技術文献】
【特許文献】
【０００６】
【特許文献１】国際公開第２００９／１２３２８９号パンフレット（２００９年１０月８日公開）
【特許文献２】国際公開第２０１０／０８２５０５号パンフレット（２０１０年７月２２日公開）
【特許文献３】国際公開第２００９／００８４３５号パンフレット（２００９年１月１５日公開）
【発明の概要】
【発明が解決しようとする課題】
【０００７】
しかしながら、コンビネーションディスクは、所謂リムーバブルディスクであるため、様々なメーカーの再生装置で、再生で可能でなければならない。
【０００８】
一方、特許文献２に記載されている理由で、ＢＤ（Ｂｌｕ−ｒａｙ  Ｄｉｓｃ）タイプのコンビネーションディスクにおいては、透光層より最も遠い位置に設けられた情報記録層が、ＲＥ層である必要がある。
【０００９】
そのため、例えば２層のコンビネーションディスクでは、透光層により近い位置にＲＯＭ層が設けられ、透光層より最も離れた位置にＲＥ層が設けられる。
【００１０】
しかしながら、通常反射率の高いＲＯＭ層と、通常反射率の低いＲＥ層の反射率を、各層へのアクセスを考慮して同等にし、更にその反射率を、特許文献３に記載されているように下位互換を図るためには、コンビネーションディスク用ＲＥ層と、ＲＥ層のみで構成された２層ＲＥディスクのＲＥ層とを、同等の反射率にする必要がある。
【００１１】
その上で、再生レーザパワーの適応限界値や、高周波重畳（再生光を高い周波数で変調照射する技術）におけるピークパワーの平均パワーに対する比率の適応限界値等の再生耐久性に関する特性を得るためには、コンビネーションディスク用ＲＥ層を構成する各膜それぞれに、高い精度が要求される。
【００１２】
そのため量産時において、再生レーザパワーの適応限界値や、高周波重畳におけるピークパワーの平均パワーに対する比率の適応限界値等の再生耐久性に関する特性に若干のバラツキが生じる可能性があった。
【００１３】
すなわち、コンビネーションディスクによっては、ＲＥ層を再生すると、使用者が消去したくない情報までも劣化させてしまう恐れがあることになる。例えば、連続テレビドラマの一部の情報が劣化して再生できないなどの問題が生じる。
【００１４】
一方、現状では再生装置の再生レーザパワーや高周波重畳におけるピークパワーの平均パワーに対する比率等が、各社間で実質ばらついているという問題がある。
【００１５】
例えば、波長４０５ｎｍのレーザ光を出射可能な半導体レーザと、開口数（Ｎ．Ａ．）０．８５の光学系を有するＢＤに対応した２種類の評価装置Ａ、Ｂにおいて、再生レーザパワーを０．７ｍＷに設定し、試作的に作製したコンビネーションディスクのＲＥ層から再生した初期の信号波形と、約４００００回再生後の信号波形とを比較してみた。評価装置ＡとＢとは、異なるメーカー製の半導体レーザが搭載されている。評価装置Ａの結果を図６（ａ）および（ｂ）に示す。図６（ａ）は、評価装置ＡにおいてコンビネーションディスクのＲＥ層から再生した初期の信号波形を示し、図６（ｂ）は、評価装置ＡにおいてコンビネーションディスクのＲＥ層から約４００００回再生した後の信号波形を示している。
【００１６】
図６（ａ）および（ｂ）における各○部をみると、約４００００回再生後（図６（ｂ））に信号波形が崩れていることが分かる。また、評価装置Ｂにおいては、上記のような信号波形の劣化は見られなかった。
【００１７】
すなわち、評価装置（またはメーカー）によって、再生時にコンビネーションディスクに与える影響が異なるといる問題が生じる
つまり、量産時におけるコンビネーションディスクの再生耐久性のバラツキと、再生装置の各社間のバラツキの双方に対応するためには、製造段階での抜き取り検査の頻度を増加させ作製精度を高める等を行う必要がある。その場合コンビネーションディスクの生産コストはＲＥ層のみで構成されたディスクを生産するよりコストが高くなってしまうという問題があった。
【００１８】
本発明の目的は、上記の問題に鑑み、情報の保護と低生産コストの両立が可能であり、かつ連続テレビドラマなどの互いに関連する複数のコンテンツの予約記録やダウンロードを簡単に管理することができる情報記録媒体（コンビネーションディスク）、及び光情報記録媒体記録再生装置を提供することである。
【課題を解決するための手段】
【００１９】
本発明に係る光情報記録媒体は、上記の課題を解決するために、基板上に、再生光によって情報を読み出すことが可能な複数の情報記録層と、上記複数の情報記録層各々を分離する中間層と、上記基板より最も遠い位置に設けられた透光層とを有し、上記複数の情報記録層は、情報を読み出すことのみ可能な層と情報を書き換えることが可能な領域を含む書き換え層とからなる光情報記録媒体であって、上記書き換え層に記録された特定情報の再生可否を、光情報記録媒体再生装置が判定するための適応可能機器情報が記録されていることを特徴としている。
【００２０】
上記の構成によれば、光情報記録媒体は、情報を読み出すことのみ可能な層と情報を書き換えることが可能な領域を含む書き換え層とを有するコンビネーションディスクである。このようなコンビネーションディスクでは、互いに関連する複数のコンテンツの予約記録やダウンロードを簡単に管理することができる。
【００２１】
この光情報記録媒体を光情報記録媒体再生装置で再生するときに、当該光情報記録媒体に記録された適応可能機器情報を用いて、書き換え層に記録された特定情報の再生可否が判定される。
【００２２】
それゆえ、使用者が、光情報記録媒体の書き換え層に適応していない光情報記録媒体再生装置で特定情報を再生しようとした場合には、特定情報の再生を行わない選択をする（または、使用者に選択させる）ことができる。その結果、書き換え層に記録された特定情報が使用者の意図に反して劣化して再生できなくなることを防止できる。
【００２３】
また、上記適応可能機器情報が、使用者が書き換え不可能な領域及び／又は形態で記録されていることが好ましい。
【００２４】
上記の構成により、適応可能機器情報が使用者によって誤って消去されることを防止できる。
【００２５】
また、上記適応可能機器情報が、情報を読み出すことのみ可能な層に記録されていることが好ましい。
【００２６】
適応可能機器情報が、情報を読み出すことのみ可能な層に記録されていれば、適応可能機器情報が使用者によって誤って消去されることを防止できる。
【００２７】
また、上記情報を読み出すことのみ可能な層には、使用者が利用可能な情報が記録されているデータ領域と、対応する光情報記録媒体再生装置が利用する情報が記録されているリードイン領域とが設けられており、上記適応可能機器情報が上記データ領域に記録されていることが好ましい。
【００２８】
通常、データ領域以外のリードイン領域に記録される内容は、所定の規格に従って記録されるものであり、光情報記録媒体のメーカー独自の判断で変更することはできない。そのため、メーカーが、生産されたＲＥ層の特性（品質）を考慮して適応可能機器情報をリードイン領域に記録することは困難である。
【００２９】
適応可能機器情報を、情報を読み出すことのみ可能な層のデータ領域に記録する上記の構成により、光情報記録媒体を書き換え層まで作製し、ストックしておいた上で、生産された書き換え層の特性を考慮した上で、情報を読み出すことのみ可能な層のスタンパを作製できる。
【００３０】
また、上記適応可能機器情報が、ファイル形式で記録されていることが好ましい。
【００３１】
上記の構成により、通常データと同様のファイルシステムを用いた適応可能機器情報の参照が可能となり、光ディスク装置がパソコン用光ディスクドライブとパソコンソフトで構成される場合においても、適応可能機器情報の検索と管理を容易にできる。
【００３２】
また、上記適応可能機器情報が、ディスクタイプ識別情報及び個体識別番号と合わせてバーコード状のストライプとして記録されていることが好ましい。
【００３３】
上記の構成により、適応可能機器情報を使用者が書き換えることができなくなるとともに、ディスクタイプ識別情報及び個体識別番号を読み取るときに、一緒に適応可能機器情報を読み取ることができる。
【００３４】
また、上記適応可能機器情報が、光情報記録媒体記録／再生装置製造者のメーカーコードを含む情報であることが好ましい。
【００３５】
光情報記録媒体記録／再生装置の再生光の出力は、メーカーごとにほぼ決まっている。それゆえ、光情報記録媒体記録／再生装置のメーカーを特定する情報を適応可能機器情報に含めることで、適応可能な出力の再生光を出射する光情報記録媒体記録／再生装置を特定できる。
【００３６】
また、上記適応可能機器情報は、上記特定情報を光情報記録媒体再生装置で再生する際に、使用者に、許諾の意図を上記光情報記録媒体再生装置に示す作業を促す表示を行う表示制御手段を起動させる情報であってもよい。
【００３７】
上記の構成により、特定情報の再生によるメリットと、当該特定情報が劣化して再生できなくなるデメリットを比較し、使用者自身の意思により特定情報を再生するかどうかを決定できる。
【００３８】
また、上記特定情報が、使用者によって上記書き換え層に記録された情報であってもよい。
【００３９】
上記の構成により、使用者が書き換え層に記録した情報を特定情報として保護できる。
【００４０】
本発明に係る光情報記録媒体再生装置は、上記の課題を解決するために、上記光情報記録媒体に記録された情報を再生する光情報記録媒体再生装置であって、上記光情報記録媒体に記録された上記適応可能機器情報を再生する再生手段と、再生した上記適応可能機器情報と、上記光情報記録媒体再生装置自体が保有している、自装置に関する識別情報または自装置に適応する光情報記録媒体に関する識別情報とを照合する照合手段と、照合された結果に基づいて、上記書き換え層に記録された特定情報の再生可否を決定する決定手段とを有することを特徴としている。
【００４１】
上記の構成によれば、光情報記録媒体に記録された適応可能機器情報を再生手段が再生し、再生された適応可能機器情報と、光情報記録媒体再生装置が保有している識別情報とを照合手段が照合する。光情報記録媒体再生装置が保有している識別情報は、自装置に関する識別情報または自装置に適応する光情報記録媒体に関する識別情報である。そして、決定手段は、照合手段の照合結果に基づいて、書き換え層に記録された特定情報の再生可否を決定する。
【００４２】
それゆえ、使用者が、光情報記録媒体の書き換え層に適応していない光情報記録媒体再生装置で特定情報を再生しようとした場合には、特定情報の再生を行わない選択をする（または、使用者に選択させる）ことができる。その結果、書き換え層に記録された特定情報が使用者の意図に反して劣化して再生できなくなることを防止できる。
【発明の効果】
【００４３】
以上のように、本発明に係る光情報記録媒体は、書き換え層に記録された特定情報の再生可否を、対応する光情報記録媒体再生装置が判定するための適応可能機器情報が記録されている構成である。
【００４４】
それゆえ、書き換え層に記録された特定情報が使用者の意図に反して劣化して再生できなくなることを防止できるという効果を奏する。
【図面の簡単な説明】
【００４５】
【図１】本発明の一実施形態に係る光情報記録媒体の構成を概念的に示す断面図である。
【図２】本発明の一実施形態に係る光ディスク装置の概略構成を示すブロック図である。
【図３】上記光ディスク装置が備える主制御部の構成を示すブロック図である。
【図４】上記光ディスク装置における適応可能機器情報の読み取り処理の流れの一例を示すフローチャートである。
【図５】上記光ディスク装置における特定情報の再生処理の流れの一例を示すフローチャートである。
【図６】（ａ）はコンビネーションディスクのＲＥ層から再生した初期の信号波形を示す図であり、（ｂ）はコンビネーションディスクのＲＥ層から約４００００回再生した後の信号波形を示す図である。
【発明を実施するための形態】
【００４６】
本発明の実施の一形態について図１〜図５に基づいて説明すれば、以下のとおりである。
【００４７】
（光情報記録媒体１００の構成）
まず、図１に基づき、本発明の一実施形態である光情報記録媒体１００の構成について説明する。図１は、本実施形態の光情報記録媒体１００の構成を概念的に示す断面図である。
【００４８】
図１に示すように、光情報記録媒体１００は、光ヘッド１２からの再生光の入射側から、透光層１０、ＲＯＭ（Read Only Memory）層２０、中間層３０、ＲＥ（Recordable）層４０及び基板５０が設けられた構成である。ＲＯＭ層２０及びＲＥ層４０に記録された情報は、再生光によって読み出すことが可能となっている。
【００４９】
すなわち、光情報記録媒体１００は、基板５０上に、再生光によって情報を読み出すことが可能な複数の情報記録層（ＲＯＭ層２０及びＲＥ層４０）と、複数の情報記録層各々を分離する中間層３０と、基板５０より最も遠い位置に設けられた透光層１０とを有している。上記複数の情報記録層は、情報を読み出すことのみ可能なＲＯＭ層２０と情報を書き換えることが可能な領域を含むＲＥ層４０（書き換え層）とからなる。
【００５０】
後述するように、光情報記録媒体１００には、ＲＥ層４０に記録された特定情報の再生可否を、対応する光情報記録媒体１００が判定するための適応可能機器情報が記録されている。
【００５１】
なお、光情報記録媒体１００では、情報記録層は、ＲＯＭ層２０及びＲＥ層４０の２層のみとなっているが、情報記録層は、３層以上であっても良い。例えば、ＲＥ層４０を複数層設けても良い。
【００５２】
（各層の詳細）
＜透光層１０＞
透光層１０は、光ヘッド４１から出射された再生光を透過する層であり、例えば、厚さ７５μｍの紫外線硬化樹脂からなる。透光層１０の材料は、再生光の波長において透過率が高いものであれば良い。また、透光層１０の表面には、表面保護のためのハードコートが設けられていても良い。
【００５３】
＜ＲＯＭ層２０＞
ＲＯＭ層２０は、いわゆる再生専用の情報記録層であり、情報を読み出すことのみ可能な層である。このＲＯＭ層２０は、例えば、厚さ９ｎｍのＡＰＣ（ＡｇＰｄＣｕ）からなる。
【００５４】
また、ＲＯＭ層２０は、光情報記録媒体１００の外周側から、第１情報記録領域２０Ａ及び第２情報記録領域２０Ｂを有している。
【００５５】
第１情報記録領域２０Ａは、データ領域であり、使用者が利用可能な情報が記録されている。使用者が利用可能な情報とは、例えば、ＯＳ（オペレーティング・システム）やアプリケーションソフトなどの各種ソフトウェアや動画データなどの各種コンテンツである。
【００５６】
第２情報記録領域２０Ｂは、対応する光ディスク装置１が利用する情報が記録されているリードイン領域である。この領域には、主に、媒体種類情報、再生条件情報及びセクター最終番号情報など、光情報記録媒体１００に関する媒体情報が記録されている。
【００５７】
媒体種類情報とは、Ｒ，ＲＥ，ＲＯＭ（本実施の形態の場合はＲＯＭ層とＲＥ層とのコンビネーション）等の種類の情報と層数に関する情報である。再生条件情報とは、推奨再生レーザパワー、線速等の情報である。また、セクター最終番号情報とは、ＲＯＭ層の記録されている領域を示す情報である。
【００５８】
＜中間層３０＞
中間層３０は、ＲＯＭ層２０及びＲＥ層４０を分離するための層であり、例えば、厚さ２５μｍの透明紫外線硬化樹脂からなる。中間層３０の材料は、これに限られたものではなく、再生光の波長において透過率が高い材料であれば良い。また、中間層３０の厚さは、ＲＯＭ層２０及びＲＥ層４０を分離でき、層間クロストークが問題にならない適度の厚さであれば良い。
【００５９】
＜ＲＥ層４０＞
ＲＥ層４０は、いわゆる書き換え型の情報記録層であり、情報を書き換えることが可能な層である。このＲＥ層４０は、例えば、スパッタ法等により７層の薄膜が積層されてなるものである。具体的には、この７層の薄膜は、再生光の入射側から、第１保護膜（厚さ３５ｎｍのＺｎＳ−ＳｉＯ２）、第２保護膜（厚さ５ｎｍのＺｒＯ２）、記録層（厚さ７ｎｍのＧｅＴｅ−Ｓｂ２Ｔｅ３）、第３保護膜（厚さ５ｎｍのＺｒＯ２）、第４保護膜（厚さ３５ｎｍのＺｎＳ−ＳｉＯ２）、第５保護膜（厚さ５ｎｍのＺｒＯ２）、及び反射膜（厚さ２０ｎｍのＡＰＣ（ＡｇＰｄＣｕ））が順に積層されている。
【００６０】
また、ＲＥ層４０は、光情報記録媒体１００の外周側から、第３情報記録領域４０Ａ及び第４情報記録領域４０Ｂを有している。
【００６１】
第３情報記録領域４０Ａは、データ領域であり、使用者が任意で記録する情報（後述する特定情報を含む）は、この第３情報記録領域４０Ａに記録される。
【００６２】
第４情報記録領域４０Ｂは、リードイン領域であり、ＢＣＡ（Burst Cutting Area）領域より外周側に設けられている。リードイン領域には、主に、媒体種類情報、再生条件情報、及び記録条件情報など、光情報記録媒体１００に関する媒体情報が記録されている。
【００６３】
媒体種類情報とは、Ｒ，ＲＥ，ＲＯＭ（本実施の形態の場合はＲＯＭ層とＲＥ層とのコンビネーション）等の種類の情報と層数に関する情報である。再生条件情報とは、推奨再生レーザパワー、線速等の情報である。記録条件情報とは、推奨記録パワー、推奨記録ストラテジ等の情報である。
【００６４】
また、ＢＣＡには、主として、光情報記録媒体の構造を示す識別情報（ディスク識別情報）が記録される。識別情報の具体例としては、ディスクの層のタイプ（再生専用型、追記型、書き換え型）、ディスクのサイズ、ディスクのバージョン（速度等に関連）、ディスクへの記録・再生の標準条件及びディスク固有の番号などが例示できる。これらの各識別情報のＢＣＡにおける記録順序（又は配置方法）は、任意であってよい。なお、これらの記録順序は、通常規格などによって決められている。
【００６５】
また、第４情報記録領域４０Ｂには、第３情報記録領域４０Ａに記録されるＯＳ更新用情報などの情報をファイル単位で管理するためのファイル管理情報が記憶されている。これにより、第３情報記録領域４０Ａに記録される情報をファイル管理情報に基づいてファイル単位で管理することができる。
【００６６】
なお、透光層１０、ＲＯＭ層２０、中間層３０、ＲＥ層４０及び基板５０の厚み、層数、構成材料及び形成方法は、上述のものに限定されず、各層として機能するものであれば良い。
【００６７】
（光ディスク装置１の構成）
次に、図２及び図３に基づき、本発明の一実施形態である光ディスク装置（光情報記録媒体再生装置）１の構成について説明する。光ディスク装置１は、光情報記録媒体１００を含むＤＶＤやＢＤなどの光情報記録媒体に対して情報の記録及び再生を行う装置である。
【００６８】
図２は、光ディスク装置１の概略構成を示すブロック図である。図２に示すように、光ディスク装置１は、主として主制御部２、記録再生回路群３、光ピックアップ４、スピンドルモータ５、記憶部６、操作部７、ディスプレイ（表示手段、表示装置）８及びディスク装填認識部９を含んでいる。
【００６９】
光ピックアップ４は、さらに光ヘッド４１及びアクチュエータ４２を含んでいる。
【００７０】
また、記録再生回路群３は、さらに、ピックアップ駆動回路３１、レーザ駆動回路３２、再生回路３３、アクチュエータ駆動回路３４及びスピンドルモータ駆動回路３５を含んでいる。
【００７１】
記憶部６は、主制御部２が実行する（１）各部の制御プログラム、（２）ＯＳプログラム、（３）アプリケーションプログラム、及び、（４）これらプログラムを実行するときに読み出す各種データを記録するものである。特に記憶部６は、光情報記録媒体１００から読み取った適応可能機器情報、及び自装置（光ディスク装置１）に関する識別情報または自装置に適応する光情報記録媒体に関する識別情報を格納する。この記憶部６は、ハードディスク、フラッシュメモリなどの不揮発性の記憶装置によって構成される。
【００７２】
操作部７は、使用者が、光ディスク装置１に各種の操作命令を入力するためのものであり、例えば、操作ボタンとそのインターフェースなどが例示できる。
【００７３】
なお、再生回路３３からの再生情報は、記憶部６に一時的若しくは常時記録される。
【００７４】
ディスプレイ８は、記憶部６に記録されたデータを読み出した結果としての画像や、使用者に対するメッセージなどを表示させるためのものである。このディスプレイ８は、例えば、液晶ディスプレイである。なお、ディスプレイ８は、光ディスク装置１と通信可能に接続された別体の表示装置であっても良い。
【００７５】
ディスク装填認識部９は、光情報記録媒体１００の装填を検出するためのものであり、例えば、各種センサが例示できるが、光情報記録媒体１００の装填を検出できるものであれば、どのようなセンサを用いても良い。このディスク装填認識部９は、検出した結果を検出信号として主制御部２へ出力する。
【００７６】
（光ディスク装置１の動作の概要）
＜再生時の動作＞
情報の再生時には、光ディスク装置１では、主制御部２がアクチュエータ駆動回路３４介してアクチュエータ４２を駆動することにより光ピックアップ４を光情報記録媒体１００の近傍に移動させる。また、主制御部２は、ピックアップ駆動回路３１を介して光ピックアップ４を光情報記録媒体１００の記録部位へ移動させる。そして、主制御部２がレーザ駆動回路３２を介して光ヘッド４１から再生用のレーザビームを光情報記録媒体１００に照射する。
【００７７】
次に、光ヘッド４１が検出した反射光は、再生回路３３にて再生信号に変換され、主制御部２に入力される。これにより、光ディスク装置１は、光情報記録媒体１００のトラックに記録された情報を再生する。
【００７８】
＜記録時の動作＞
情報の記録時には、光ディスク装置１では、スピンドルモータ駆動回路３５によって駆動されたスピンドルモータ５により光情報記録媒体１００が回転する。また、アクチュエータ駆動回路３４によってアクチュエータ４２が駆動されることにより、光ピックアップ４が、回転した光情報記録媒体１００の近傍へ移動する。さらに、ピックアップ駆動回路３１によって、光ピックアップ４が、図示しない光情報記録媒体１００のトラックへ移動する。
【００７９】
そして、主制御部２がレーザ駆動回路３２を介して記録条件を設定し、光ヘッド４１から記録用のレーザビームを光情報記録媒体１００の記録部位に照射することによって、光情報記録媒体１００のトラックに情報が記録される。
【００８０】
（主制御部２の構成）
図３は、主制御部２の構成を示すブロック図である。図３に示すように、主制御部２は、再生制御部２１、ディスク管理部２８、ピックアップ制御部２９及びレーザ制御部３６を備えている。
【００８１】
再生制御部２１は、ピックアップ制御部２９及びレーザ制御部３６に指令を発して光情報記録媒体１００に記録されている情報の再生を実行するものである。この再生制御部２１は、光ピックアップ４及び記録再生回路群３とともに、光情報記録媒体１００に記録された適応可能機器情報を再生する再生手段のひとつであると見なすことができる。
【００８２】
図３に示すように、再生制御部２１は、照合部（照合手段）２２、再生可否決定部（決定手段）２３、ＲＥ再生指示部２４、ＲＯＭ再生指示部２５、再生データ処理部２６及び表示制御部（表示制御手段）２７を備えている。
【００８３】
照合部２２は、再生された適応可能機器情報と、光ディスク装置１自体が保有している、自装置に関する識別情報または自装置に適応する光情報記録媒体に関する識別情報とを照合する。
【００８４】
再生可否決定部２３は、照合部２２によって照合された結果に基づいて、ＲＥ層４０に記録された特定情報の再生可否を決定する。特定情報の詳細及び再生可否の決定方法については後述する。
【００８５】
ＲＥ再生指示部２４は、ＲＥ層４０に記憶されているユーザが記録した任意の情報やファイル管理情報などの読み出しの指示を行うものである。ただし、ユーザが記録した任意の情報のうち、特定情報については、再生可否決定部２３によって再生可能と判断された場合のみ、当該特定情報の再生の指示を行う。
【００８６】
ＲＯＭ再生指示部２５は、ＲＯＭ層２０に記憶されているソフトウェア又はコンテンツなどの読み出しの指示を行うものである。
【００８７】
再生データ処理部２６は、光ヘッド４１から再生回路３３を介して主制御部２に送信されてくる再生情報を受け取り、表示制御部２７を介してディスプレイ８に出力するなど、再生情報の処理を行うものである。再生情報には、映像情報、音声情報、ＯＳ、ファイル管理情報などが含まれ、再生情報の種類に応じた処理がなされる。
【００８８】
表示制御部２７は、光情報記録媒体１００から読み出された映像情報、使用者に提示するメッセージ、再生する情報を選択するための画面などをディスプレイ８に表示させるための処理を行う。
【００８９】
ディスク管理部２８は、光情報記録媒体１００が光ディスク装置１に装填されたことをディスク装填認識部９が検出したときに出力される検出信号を受信して、再生制御部２１などに動作命令を送信するなどの処理を行うものである。
【００９０】
ピックアップ制御部２９は、再生制御部２１の制御下でピックアップ駆動回路３１を制御する。
【００９１】
レーザ制御部３６は、再生制御部２１の制御下でレーザ駆動回路３２を制御する。
【００９２】
（特定情報の詳細）
使用者が任意で記録する情報のうち、使用者が消したくないと考える情報を特定情報と称する。この特定情報は、使用者が指定する任意の情報であり、使用者によってＲＥ層４０に記録された情報であっても良い。使用者によってＲＥ層４０に記録された情報には、インターネットなどのネットワークを介してダウンロードされた情報も含まれる。上記ダウンロードは、使用者が設定した所定のタイミングで行われてもよい。
【００９３】
使用者は、特定の種類（例えば、特定のファイル形式）のデータが特定情報であると自動的に見なされるように設定しても良いし、個々のデータについて使用者が特定情報かどうかの指定を行っても良い。特定情報の指定は、当該情報がＲＥ層４０に記録されるときに行われても良いし、ＲＥ層４０に記録された後の任意のタイミングで行われても良い。
【００９４】
ＲＥ層４０に記録された情報が、特定情報であるかどうかを識別する方法は、特に限定されない。例えば、ファイル名に、そのファイルが特定情報であることを示す文字または記号を含めても良い。このようなファイル名の設定は、使用者が手動で行っても良いし、使用者が、選択したデータを特定情報に指定する指示を入力した場合に、主制御部２が当該データのファイル名を設定しても良い。
【００９５】
また、上述のように、特定のファイル形式のデータを特定情報であると見なしても良い。または、逆に、特定情報でないデータに対して、特定情報ではないことを示す情報を付与してもよい。
【００９６】
（適応可能機器情報の詳細）
適応可能機器情報は、ＲＥ層４０に記録された特定情報の再生可否を、光ディスク装置１が判定するための情報である。より詳細には、この適応可能機器情報は、光情報記録媒体１００に少なくとも１つ記録されており、次に示す情報またはその組み合わせを示すものである。すなわち、適応可能機器情報は、（１）当該適応可能機器情報が記録された光情報記録媒体１００が有するＲＥ層４０に記録された特定情報を再生可能な光ディスク装置（適応可能再生装置と称する）の機種を示す情報、（２）適応可能再生装置の製造者のメーカーコード、または、（３）光情報記録媒体１００が装填された光ディスク装置が、当該光情報記録媒体１００が有するＲＥ層４０に記録された特定情報を再生可能であるかどうかを判定するための、当該光情報記録媒体１００のＲＥ層４０の品質を示す情報、もしくはその組み合わせである。ＲＥ層４０の品質を示す情報とは、例えば、ＲＥ層４０の品質を複数段階のレベルで示したものである。
【００９７】
この適応可能機器情報は、ファイル形式で記録されている。適応可能機器情報をファイル形式で記録することにより、通常データと同様のファイルシステムを用いた適応可能機器情報の参照が可能となり、光ディスク装置１がパソコン用光ディスクドライブとパソコンソフトで構成される場合においても、適応可能機器情報の検索と管理を容易にできる。
【００９８】
適応可能機器情報として、適応可能再生装置の機種、メーカーコードまたはＲＥ層４０の品質を示す情報が複数設定されてもよい。
【００９９】
光情報記録媒体１００にＲＥ層４０が複数含まれている場合には、各ＲＥ層４０についての適応可能機器情報を光情報記録媒体１００に記録しても良いし、複数のＲＥ層４０に対応する１つの適応可能機器情報を記録しても良い。本実施形態では、適応可能機器情報は、１つの光情報記録媒体１００に１つ記録されているものとする。
【０１００】
適応可能機器情報は、光情報記録媒体１００が有する記録領域のうち、使用者が書き換え不可能な領域に記録されているか、または、使用者が書き換え可能な領域において、書き換え不可能な形態で記録されているか、もしくは、使用者が書き換え不可能な領域において、書き換え不可能な形態で記録されている。
【０１０１】
使用者が書き換え不可能な領域とは、例えば、ＲＯＭ層２０、ＲＥ層４０のＢＣＡ（第４情報記録領域４０Ｂ）、及びＲＥ層４０の第３情報記録領域４０Ａに予め設定された書き換え不可能な領域である。
【０１０２】
使用者が書き換え不可能な形態とは、例えば、ＢＣＡ記録、ＲＯＭ層における凹凸による記録方式である。なお、ＢＣＡ記録とは、ＹＡＧレーザ等によりパルスレーザー光を情報記録層に照射して、例えば約１０μｍ程度の幅で長さが数百μｍのストライプ（バーコードのような）を形成し、情報を記録する方式である。
【０１０３】
例えば、適応可能機器情報は、ディスクタイプ識別情報及び個体識別番号と合わせてバーコード状のストライプとして記録されていてもよい。
【０１０４】
使用者が書き換え不可能な領域及び書き換え不可能な形態については、上述のものに限定されず、その目的が果たせるものであればよい。
【０１０５】
ただし、適応可能機器情報は、ＲＯＭ層２０の特に第１情報記録領域（データ領域）２０Ａに記録することが好ましい。なぜならば、データ領域以外のリードイン領域に記録される内容は、通常、所定の規格に従って記録されるものであり、光情報記録媒体のメーカー独自の判断で変更することはできない。そのため、メーカーが、生産されたＲＥ層４０の特性（品質）を考慮して適応可能機器情報をリードイン領域に記録することはできないためである。
【０１０６】
つまり、適応可能機器情報をＲＯＭ層２０のデータ領域に記録する構成により、光情報記録媒体１００をＲＥ層４０まで作製し、ストックしておいた上で、生産されたＲＥ層４０の特性を考慮した上で（すなわち、適応可能機器情報の内容を決定した上で）、ＲＯＭ層２０のスタンパを作製できる。
【０１０７】
なお、ＲＯＭ層２０は通常単一膜で作製できるため、品質管理がＲＥ層４０に比較して容易なため、各社の再生レーザパワーに対応できるように品質管理することは比較的容易である。
【０１０８】
また、上述したように、光情報記録媒体１００の適応可能機器情報の照合対象となる、自装置（光ディスク装置１）に関する識別情報または自装置に適応する光情報記録媒体に関する識別情報は、予め記憶部６に格納されている。
【０１０９】
自装置に関する識別情報とは、例えば、光ディスク装置１の製造者のメーカーコード、光ディスク装置１の機種を示す機種情報である。また、適応可能記録媒体情報とは、光情報記録媒体１００においてＲＥ層４０を再生することが可能な光情報記録媒体またはその品質を特定する情報（例えば、品質のレベル）である。
【０１１０】
光情報記録媒体１００に記録された適応可能機器情報と、光ディスク装置１が保有する識別情報とは、互いに照合可能な関係にある。例えば、光情報記録媒体１００の適応可能機器情報がメーカーコードであれば、光ディスク装置１の識別情報もメーカーコードである。
【０１１１】
（適応可能機器情報の読み取り処理の流れ）
次に、光情報記録媒体１００が光ディスク装置１に装填されたときに、適応可能機器情報を読み取る処理について説明する。図４は、光ディスク装置１における適応可能機器情報の読み取り処理の流れの一例を示すフローチャートである。
【０１１２】
まず、光情報記録媒体１００が装填されたことをディスク装填認識部９が検出すると、その旨を示す検出信号をディスク管理部２８に送信する（Ｓ１）。
【０１１３】
ディスク管理部２８は、上記検出信号を受けて、ＲＥ層４０のＢＣＡに記録されたディスク識別情報をごく低い出力のレーザパワーで読み出す（Ｓ２）。ＢＣＡに記録された情報は、低出力のレーザ光で読み出されるため、ＢＣＡに記録された情報が劣化して再生できなくなることはない。その後、ディスク管理部２８は、再生制御部２１のＲＯＭ再生指示部２５に動作命令を出力する。
【０１１４】
この動作命令を受けて、ＲＯＭ再生指示部２５は、記録再生回路群３を介して光ピックアップ４及びスピンドルモータ５などを制御することにより、光情報記録媒体１００のＲＯＭ層２０のリードイン領域（第２情報記録領域２０Ｂ）の情報、及びデータ領域（第１情報記録領域２０Ａ）に記録されている適応可能機器情報を読み取る（Ｓ３）。
【０１１５】
再生データ処理部２６は、読み取った適応可能機器情報を記憶部６に格納する（Ｓ４）。そして、光ディスク装置１は、待機状態となる。
【０１１６】
なお、光ディスク装置１は、特定情報を再生する指示を使用者が入力したときに、光情報記録媒体１００から適応可能機器情報を読み取っても良く、適応可能機器情報を読み取るタイミングは特に限定されない。
【０１１７】
（特定情報の再生処理の流れ）
次に、ＲＥ層４０に記録された特定情報を再生するときの処理の流れの一例について説明する。図５は、特定情報の再生処理の流れの一例を示すフローチャートである。ここでは、適応可能機器情報が、光情報記録媒体１００を製造したメーカーのメーカーコードである場合を例に挙げて説明する。また、適応可能機器情報は既に光情報記録媒体１００から読み取られ、記憶部６に格納されているものとする。また、予め使用者が特定情報を指定しており、その特定情報のファイル名に、当該ファイルが特定情報であることを示す情報が含まれているものとする。
【０１１８】
まず、再生制御部２１が、ＲＥ層４０に記録された情報を再生する指示を使用者が入力したことを検出すると（Ｓ１１）、再生可否決定部２３は、当該情報のファイル名を確認することにより、当該情報が特定情報であるかどうかを判定する（Ｓ１２）。特定情報であると判定した場合には（Ｓ１２にてＹＥＳ）、再生可否決定部２３は、その特定情報が記録されているＲＥ層４０を有する光情報記録媒体１００の適応可能機器情報と自装置のメーカーコードとを照合するよう照合部２２に命じる。
【０１１９】
この命令を受けると、照合部２２は、記憶部６に格納された、光情報記録媒体１００の適応可能機器情報（メーカーコード）と、光ディスク装置１のメーカーコードとを照合する（Ｓ１３）。光情報記録媒体１００の適応可能機器情報としてのメーカーコードは、複数のメーカーのメーカーコードを含んでいても良い。複数のメーカーコードが記録されている場合には、そのうちの１つと、光ディスク装置１のメーカーコードとが一致すれば良い。
【０１２０】
光情報記録媒体１００の適応可能機器情報としての少なくとも１つのメーカーコードのうちの１つと、光ディスク装置１のメーカーコードとが一致する場合には（Ｓ１４にてＹＥＳ）、照合部２２は、一致結果を再生可否決定部２３へ出力する。
【０１２１】
一致結果を受け取ると、再生可否決定部２３は、特定情報を再生するよう、ＲＥ再生指示部２４に命じる。
【０１２２】
この命令を受けると、ＲＥ再生指示部２４は、記録再生回路群３を介して光ピックアップ４及びスピンドルモータ５などを制御することにより、上記特定情報を再生する（Ｓ１５）。
【０１２３】
再生された特定情報は、再生データ処理部２６における処理を経て、表示制御部２７によってディスプレイ８に表示される（Ｓ１６）。
【０１２４】
一方、光情報記録媒体１００の適応可能機器情報としての少なくとも１つのメーカーコードのうちの１つと、光ディスク装置１のメーカーコードとが一致しない場合には（Ｓ１４にてＮＯ）、照合部２２は、不一致結果を再生可否決定部２３へ出力する。
【０１２５】
不一致結果を受け取ると、再生可否決定部２３は、指定された特定情報が記録されたＲＥ層４０が光ディスク装置１に適応しておらず、特定情報を再生できないことを示すメッセージ（非適応メッセージ）を、表示制御部２７を介してディスプレイ８に表示する（Ｓ１７）。
【０１２６】
一方、使用者が再生を指示した情報が特定情報ではないと判定した場合には（Ｓ１２にてＮＯ）、再生可否決定部２３は、当該情報を再生するよう、ＲＥ再生指示部２４に命じ、当該情報が再生される（Ｓ１８）。
【０１２７】
なお、照合部２２が不一致結果を再生可否決定部２３へ出力した場合に、非適応メッセージを示すとともに、それでも特定情報を再生するかどうかの指示を入力するよう使用者に促すメッセージを、表示制御部２７を介してディスプレイ８に表示してもよい。
【０１２８】
この場合、使用者が再生指示を入力すれば、再生可否決定部２３は、当該特定情報を再生するよう、ＲＥ再生指示部２４に命じる。
【０１２９】
すなわち、適応可能機器情報は、特定情報を光ディスク装置１で再生する際に、使用者に、許諾の意図を光ディスク装置１に示す作業を促す表示を行う表示制御部２７を起動させる情報であってもよい。
【０１３０】
この構成により、特定情報の再生によるメリットと、当該特定情報が破壊されるデメリットとを比較し、使用者自身の意思により特定情報を再生するかどうかを決定できる。
【０１３１】
（光情報記録媒体１００及び光ディスク装置１の効果）
以上のように、光情報記録媒体１００及び光ディスク装置１では、生産者が、生産された光情報記録媒体１００のＲＥ層４０の状態（品質）によって、光情報記録媒体１００が再生される光ディスク装置１の種類（機種またはメーカー）を特定できる。特定された情報は、適応可能機器情報として光情報記録媒体１００に格納され、光情報記録媒体１００が挿入された光ディスク装置１において、ＲＥ層４０に記録された特定情報が再生可能かどうかを判定するために利用される。
【０１３２】
それゆえに使用者が消去したくない特定データが劣化し再生できなくなることを防止できる。
【０１３３】
（その他の変更例）
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１３４】
また、上述した光ディスク装置１の各ブロック、特に主制御部２は、ハードウェアロジックによって構成してもよいし、次のようにＣＰＵを用いてソフトウェアによって実現してもよい。
【０１３５】
すなわち、光ディスク装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラム及び各種データを格納するメモリ等の記憶装置（記録媒体）などを備えている。そして、本発明の目的は、上述した機能を実現するソフトウェアである光ディスク装置１の制御プログラムのプログラムコード（実行形式プログラム、中間コードプログラム、ソースプログラム）をコンピュータで読み取り可能に記録した記録媒体を、上記光ディスク装置１に供給し、そのコンピュータ（またはＣＰＵやＭＰＵ）が記録媒体に記録されているプログラムコードを読み出し実行することによっても、達成可能である。
【０１３６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１３７】
また、光ディスク装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ（high data rate）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１３８】
なお、本発明は、以下のようにも表現できる。
【０１３９】
すなわち、本発明の光情報記録媒体再生装置は、上述の光情報記録媒体に記録された情報を再生する光情報記録媒体再生装置であって、上記光情報記録媒体に記録された上記適応可能機器情報を再生する手段と、再生した上記適応可能機器情報と再生装置自体が保有している再生が許可されている光情報記録媒体を識別するための識別情報を照合する手段と、照合された結果に基づいて、上記書き換え層に記録された特定情報の再生可否を決定する手段を有することを特徴としている。
【産業上の利用可能性】
【０１４０】
本発明は、光情報記録媒体が有する、情報を書き換えることが可能な書き換え層に記録された特定情報を再生するときに、当該特定情報が劣化し再生できなくなる可能性を低減できる。そのため、本発明は、書き換え層に記録された特定情報を保護することが望まれる光情報記録媒体及びその再生装置に適用できる。
【符号の説明】
【０１４１】
１  光ディスク装置（光情報記録媒体再生装置）
４  光ピックアップ（再生手段）
１０  透光層
２０  ＲＯＭ層（情報を読み出すことのみ可能な層）
２０Ａ  第１情報記録領域（データ領域）
２０Ｂ  第２情報記録領域（リードイン領域）
２１  再生制御部（再生手段）
２２  照合部（照合手段）
２３  再生可否決定部（決定手段）
２４  ＲＥ再生指示部（再生手段）
２６  再生データ処理部（再生手段）
２７  表示制御部（表示制御手段）
３０  中間層
４０  ＲＥ層（書き換え層）
４０Ａ  第３情報記録領域
４０Ｂ  第４情報記録領域
４１  光ヘッド（再生手段）
４２  アクチュエータ（再生手段）
４３  記録層
５０  基板
１００  光情報記録媒体
【図１】
2012038388.tif 000003
【図２】
2012038388.tif 000004
【図３】
2012038388.tif 000005
【図４】
2012038388.tif 000006
【図５】
2012038388.tif 000007
【図６】
2012038388.tif 000008